(57)【要約】【課題】電気光学装置において、容量線の電位の制御性を向上させる。【解決手段】電気光学装置は、電気光学パネルとフレキシブル基板とを備え、電気光学パネルは、蓄積容量が設けられた素子基板と、蓄積容量と接続された容量線と、第１方向に沿って配列され容量線と接続された第１〜第３端子とを備え、フレキシブル基板は、駆動回路と、第１方向に沿って配列され第１〜第３端子とそれぞれ接続された第４端子〜第６端子と、駆動回路の外側を通り第４端子と接続された第１配線と、第１配線と反対側で駆動回路の外側を通り第６端子と接続された第２配線とを備え、第１配線、第２配線と駆動回路との距離を、第１距離、第２距離としたとき、第５端子は、第４端子から第１方向に第６端子側へ第１距離以上離れ、第６端子から第１方向に第４端子側へ第２距離以上離れた範囲内に設けられている。【選択図】図４
2018200361.tif 000002
【特許請求の範囲】
【請求項１】
電気光学パネルと、
前記電気光学パネルと電気的に接続された第１フレキシブル基板と、
を備え、
前記電気光学パネルは、
スイッチング素子、画素電極および蓄積容量が設けられた素子基板と、
前記素子基板に対向配置された対向基板と、
前記蓄積容量と電気的に接続された容量線と、
第１方向に沿って配列され、前記容量線と電気的に接続された第１端子、第２端子および第３端子と、
を備え、
前記第１フレキシブル基板は、
前記電気光学パネルを駆動する第１駆動回路と、
前記第１方向に沿って配列された、前記第１端子と電気的に接続された第４端子、前記第２端子と電気的に接続された第５端子、および、前記第３端子と電気的に接続された第６端子と、
前記第１駆動回路の外側を通り、前記第４端子と電気的に接続された第１配線と、
前記第１駆動回路を挟み前記第１配線と反対側で当該第１駆動回路の外側を通り、前記第６端子と電気的に接続された第２配線と、
を備え、
前記第１配線と前記第１駆動回路との距離を第１距離とし、前記第２配線と前記第１駆動回路との距離を第２距離としたとき、
前記第５端子は、前記第４端子から前記第１方向に前記第６端子側へ前記第１距離以上離れるとともに、前記第６端子から前記第１方向に前記第４端子側へ前記第２距離以上離れた範囲内に設けられて、前記第４端子と前記第６端子との間に配置されている、
電気光学装置。
【請求項２】
前記第１フレキシブル基板は、
前記第５端子と前記第１駆動回路との間に配置され、前記第５端子と電気的に接続された第７端子、
を備える、
請求項１に記載の電気光学装置。
【請求項３】
前記第１フレキシブル基板は、
前記第７端子と前記第２配線とを電気的に接続するジャンプ配線、
を備える、
請求項２に記載の電気光学装置。
【請求項４】
前記第５端子は、前記第１駆動回路の電源端子と電気的に接続されている、
請求項１に記載の電気光学装置。
【請求項５】
前記第５端子は、前記第１駆動回路と前記第１フレキシブル基板の基材との間を通過する配線と電気的に接続されている、
請求項１に記載の電気光学装置。
【請求項６】
前記電気光学パネルと電気的に接続された第２フレキシブル基板、
をさらに備え、
前記第２フレキシブル基板は、
前記電気光学パネルを駆動する第２駆動回路と、
前記第１方向に沿って配列された、第８端子および第９端子と、
前記第２駆動回路の外側を通り、前記第８端子と電気的に接続された第３配線と、
前記第２駆動回路を挟み前記第３配線と反対側で当該第２駆動回路の外側を通り、前記第９端子と電気的に接続された第４配線と、
前記第４配線から分岐し、前記第５端子と電気的に接続された配線と、
を備える、
請求項１または２に記載の電気光学装置。
【請求項７】
前記電気光学パネルと電気的に接続された第２フレキシブル基板、
をさらに備え、
前記第２フレキシブル基板は、
前記電気光学パネルを駆動する第２駆動回路と、
前記第１方向に沿って配列された、第８端子および第９端子と、
前記第２駆動回路の外側を通り、前記第８端子と電気的に接続された第３配線と、
前記第２駆動回路を挟み前記第３配線と反対側で当該第２駆動回路の外側を通り、前記第９端子と電気的に接続された第４配線と、
前記第４配線上に設けられ、前記第５端子と電気的に接続された第１０端子と、
を備える、
請求項１または２に記載の電気光学装置。
【請求項８】
請求項１〜５のうちいずれか１項に記載の電気光学装置と、
プリント基板と、
を備え、
前記電気光学装置の前記第５端子は、前記プリント基板の電源端子と電気的に接続されている、
電子機器。
【請求項９】
請求項１〜８のうちいずれか１項に記載の電気光学装置、
を備える電子機器。
【発明の詳細な説明】
【技術分野】
【０００１】
本発明は、電気光学装置および電子機器に関する。
【背景技術】
【０００２】
液晶パネル等の電気光学パネルと、当該電気光学パネルを駆動する集積回路（駆動回路）が設けられたフレキシブル基板であるＣＯＦ（Chip On Film）基板とを備える電気光学装置が知られている。
【０００３】
特許文献１の段落００１６および図３に示されるように、ＣＯＦ基板において、電源配線やグラウンド配線は、駆動回路を避けるため、平面視で駆動回路の外側に配置される。
【先行技術文献】
【特許文献】
【０００４】
【特許文献１】特開２０１５−１３８１６６号公報
【発明の概要】
【発明が解決しようとする課題】
【０００５】
ところで、特許文献１に記載された技術では、電源配線が駆動回路の外側に配置されていることにより、ＣＯＦ基板において電気光学パネルと接続される電源端子が設けられる位置が、駆動回路の外側に制限される。
【０００６】
液晶パネル等の電気光学パネルにおいて、データ線や走査線とともに、容量線が設けられている。容量線の電位は、ＣＯＦ基板から電源電位が供給されることで制御されるが、データ線や走査線の電位変動に起因して変動しやすい。ＣＯＦ基板における電源端子の位置が制限されることで、つまり、容量線に所定電位を供給する位置が制限されることで、容量線の電位を良好には制御できないことがある。
【０００７】
本発明は、上述した事情に鑑みてなされたものであり、電気光学パネルと、駆動回路が設けられたフレキシブル基板とを備える電気光学装置において、容量線の電位の制御性を向上させることができる技術を提供することを、解決課題の一つとする。
【課題を解決するための手段】
【０００８】
以上の課題を解決するため、本発明に係る電気光学装置の一態様は、電気光学パネルと、前記電気光学パネルと電気的に接続された第１フレキシブル基板と、を備え、前記電気光学パネルは、スイッチング素子、画素電極および蓄積容量が設けられた素子基板と、前記素子基板に対向配置された対向基板と、前記蓄積容量と電気的に接続された容量線と、第１方向に沿って配列され、前記容量線と電気的に接続された第１端子、第２端子および第３端子と、を備え、前記第１フレキシブル基板は、前記電気光学パネルを駆動する第１駆動回路と、前記第１方向に沿って配列された、前記第１端子と電気的に接続された第４端子、前記第２端子と電気的に接続された第５端子、および、前記第３端子と電気的に接続された第６端子と、前記第１駆動回路の外側を通り、前記第４端子と電気的に接続された第１配線と、前記第１駆動回路を挟み前記第１配線と反対側で当該第１駆動回路の外側を通り、前記第６端子と電気的に接続された第２配線と、を備え、前記第１配線と前記第１駆動回路との距離を第１距離とし、前記第２配線と前記第１駆動回路との距離を第２距離としたとき、前記第５端子は、前記第４端子から前記第１方向に前記第６端子側へ前記第１距離以上離れるとともに、前記第６端子から前記第１方向に前記第４端子側へ前記第２距離以上離れた範囲内に設けられて、前記第４端子と前記第６端子との間に配置されている。
【０００９】
前記態様によれば、容量線に、第１端子、第２端子および第３端子をそれぞれ介して、第１フレキシブル基板の第４端子、第５端子および第６端子から所定電位を供給することができる。第４端子と第６端子との間に、つまり、第４端子および第６端子に対して第１方向の中央側の位置に、第５端子が設けられていることで、第５端子が設けられていない場合と比べて、第１方向の中央側の位置に配置された容量線に所定電位を供給しやすくなり、当該容量線の電位の制御性を向上させることができる。
【００１０】
上述した電気光学装置の一態様において、前記第１フレキシブル基板は、前記第５端子と前記第１駆動回路との間に配置され、前記第５端子と電気的に接続された第７端子、を備える。この態様によれば、第７端子を介して第５端子に所定電位を供給できる。また、第７端子と第１駆動回路との干渉が抑制される。
【００１１】
上述した電気光学装置の一態様において、前記第１フレキシブル基板は、前記第７端子と前記第２配線とを電気的に接続するジャンプ配線、を備える。この態様によれば、第２配線から第５端子に所定電位を供給できる。また、ジャンプ配線を用いることで、第１フレキシブル基板の配線層を多層にする必要がない。
【００１２】
上述した電気光学装置の一態様において、前記第５端子は、前記第１駆動回路の電源端子と電気的に接続されている。この態様によれば、第１駆動回路の電源端子を用いて、第５端子に所定電位を供給できる。
【００１３】
上述した電気光学装置の一態様において、前記第５端子は、前記第１駆動回路と前記第１フレキシブル基板の基材との間を通過する配線と電気的に接続されている。この態様によれば、第１駆動回路と、第１フレキシブル基板の基材との間を通過させることにより、平面視で第１駆動回路と重なる配線であっても、第５端子と電気的に接続させることができる。
【００１４】
上述した電気光学装置の一態様において、前記電気光学パネルと電気的に接続された第２フレキシブル基板、をさらに備え、前記第２フレキシブル基板は、前記電気光学パネルを駆動する第２駆動回路と、前記第１方向に沿って配列された、第８端子および第９端子と、前記第２駆動回路の外側を通り、前記第８端子と電気的に接続された第３配線と、前記第２駆動回路を挟み前記第３配線と反対側で当該第２駆動回路の外側を通り、前記第９端子と電気的に接続された第４配線と、前記第４配線から分岐し、前記第５端子と電気的に接続された配線と、を備える。この態様によれば、第２フレキシブル基板の第４配線から分岐した配線を用いて、第５端子に所定電位を供給できる。
【００１５】
上述した電気光学装置の一態様において、前記電気光学パネルと電気的に接続された第２フレキシブル基板、をさらに備え、前記第２フレキシブル基板は、前記電気光学パネルを駆動する第２駆動回路と、前記第１方向に沿って配列された、第８端子および第９端子と、前記第２駆動回路の外側を通り、前記第８端子と電気的に接続された第３配線と、前記第２駆動回路を挟み前記第３配線と反対側で当該第２駆動回路の外側を通り、前記第９端子と電気的に接続された第４配線と、前記第４配線上に設けられ、前記第５端子と電気的に接続された第１０端子と、を備える。この態様によれば、第２フレキシブル基板の第４配線上に設けられた第１０端子を用いて、第５端子に所定電位を供給できる。
【００１６】
以上の課題を解決するため、本発明に係る電子機器の一態様は、上述した電気光学装置と、プリント基板と、を備え、電気光学装置の第５端子は、プリント基板の電源端子と電気的に接続されている。
【００１７】
前記態様によれば、プリント基板の電源端子を用いて、第５端子に所定電位を供給できる。
【００１８】
以上の課題を解決するため、本発明に係る電子機器の一態様は、上述した電気光学装置を備える。
【００１９】
前記態様によれば、電子機器が備える電気光学装置において、容量線の電位の制御性を向上させることができる。
【図面の簡単な説明】
【００２０】
【図１】実施形態による液晶パネルの構成を示す概略平面図である。
【図２】実施形態による液晶パネルの電気的な構成を示す回路図である。
【図３】実施形態による液晶パネルの容量線の電気的な接続関係を示す概略図である。
【図４】実施形態による液晶表示装置の構成を示す概略平面図である。
【図５】第１変形例による液晶表示装置の構成を示す概略平面図である。
【図６】第２変形例による液晶表示装置の構成を示す概略平面図である。
【図７】第３変形例による液晶表示装置の構成を示す概略平面図である。
【図８】第２実施形態によるＣＯＦ基板の構成を示す概略平面図である。
【図９】第２実施形態による液晶表示装置の構成を示す概略平面図である。
【図１０】第２実施形態の変形例によるＣＯＦ基板の構成を示す概略平面図である。
【図１１】第２実施形態の変形例による液晶表示装置の構成を示す概略平面図である。
【図１２】応用例によるプロジェクターの光学系を示す模式図である。
【発明を実施するための形態】
【００２１】
以下、この発明の好適な実施の形態を、添付図面等を参照しながら詳細に説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
＜第１実施形態＞
本発明の実施形態として、液晶パネル１００と、液晶パネル１００と電気的に接続されたＣＯＦ（Chip On Film）基板２００とを備える液晶表示装置１０を例示する。まず、液晶パネル１００について説明する。なお、電気的に接続されていることを、単に、接続されていると称することがある。
【００２３】
図１は、液晶パネル１００の全体的な構成を例示する概略平面図である。液晶パネル１００は、画素のスイッチング素子として薄膜トランジスター（Thin Film Transistor：ＴＦＴ）を備えたアクティブマトリックス型の液晶パネルであり、素子基板１１０と、素子基板１１０に対向配置された対向基板１２０と、素子基板１１０と対向基板１２０との間に配置された液晶層１３０とを備える。
【００２４】
液晶パネル１００は、例えば、ＴＮ（Twisted Nematic）モードやＶＡ（Vertical Alignment）モードで動作する。液晶パネル１００は、例えば、対向基板１２０側から入射した光を変調して素子基板１１０側に射出する透過型の液晶パネルとして用いられる。
【００２５】
素子基板１１０と対向基板１２０とは、額縁状に配置されたシール材１１５を介して接合されている。液晶層１３０は、素子基板１１０と対向基板１２０とシール材１１５とによって囲まれた空間に封入された、正または負の誘電異方性を有する液晶で構成されている。シール材１１５が設けられた領域の内側に、複数の画素が配列された表示領域１０１が形成されている。
【００２６】
素子基板１１０には、詳細は図２を参照して後述するように、ＴＦＴ１５０、画素電極１６０、蓄積容量１７０、データ線１５１、走査線１５２、および、容量線１７１が設けられている。対向基板１２０には、共通電極が設けられている。
【００２７】
素子基板１１０には、また、シール材１１５の外側の領域に、データ線駆動回路１０５、走査線駆動回路１０６、および、外部回路実装端子１４０が設けられている。データ線駆動回路１０５は、素子基板１１０の一辺に沿って設けられている。データ線駆動回路１０５が設けられた一辺に沿った方向をＸ方向とする。走査線駆動回路１０６は、データ線駆動回路１０５が設けられた一辺と直交し互いに対向する二辺に沿って設けられている。走査線駆動回路１０６が設けられた二辺に沿った方向をＹ方向とする。
【００２８】
複数の外部回路実装端子１４０が、データ線駆動回路１０５の延在方向に沿って、つまり、Ｘ方向に沿って配列されている。「外部回路実装端子」を、単に「端子」と称することがある。Ｘ方向に並んだ複数の端子１４０の配列は、容量線１７１と接続された端子１４０として、端子１４１（第１端子）、端子１４２（第２端子）および端子１４３（第３端子）を含む。端子１４１は、端子１４０の配列の一端部に、例えば当該一端部の最も端に配置されている。端子１４３は、端子１４０の配列の他端部に、例えば当該他端部の最も端に配置されている。端子１４２は、端子１４１と端子１４３との間に配置され、例えば端子１４０の配列の中央部に配置される。つまり、端子１４２は、端子１４１および端子１４３に対してＸ方向の内側の位置に配置されている。なお、端子１４１および端子１４３は、それぞれ、端子１４０の配列の最も端に配置されていなくともよく、また、端子１４２は、端子１４０の配列の中心に配置されていなくともよい。
【００２９】
端子１４０の配列において、端子１４１と端子１４２との間に配置された端子１４０は、例えばデータ線駆動回路１０５を介してデータ線１５１と接続され、また例えば走査線駆動回路１０６を介して走査線１５２と接続されている。端子１４２と端子１４３との間に配置された端子１４０は、例えばデータ線駆動回路１０５を介してデータ線１５１と接続され、また例えば走査線駆動回路１０６を介して走査線１５２と接続されている。
【００３０】
図２は、液晶パネル１００の電気的な構成を例示する等価回路図である。表示領域１０１に、複数の画素１０２が行列状に配置されている。ここでは、Ｘ方向に並んだ画素１０２の配列を行と称し、Ｙ方向に並んだ画素１０２の配列を列と称する。各画素１０２に、ＴＦＴ１５０、画素電極１６０および蓄積容量１７０が設けられている。
【００３１】
データ線１５１は、画素１０２の列ごとに、データ線駆動回路１０５からＹ方向に延在して設けられ、ＴＦＴ１５０のソース電極と接続されている。データ線１５１には、データ線駆動回路１０５から画像信号（データ信号）Ｓ１、Ｓ２、…、Ｓｎが線順次で供給される。走査線１５２は、画素１０２の行ごとに、走査線駆動回路１０６からＸ方向に延在して設けられ、ＴＦＴ１５０のゲート電極と接続されている。走査線１５２には、走査線駆動回路１０６から走査信号Ｇ１、Ｇ２、…、Ｇｎが線順次で供給される。ＴＦＴ１５０のドレイン電極は、画素電極１６０と接続されている。なお、走査線１５２に沿う方向をＸ方向と称し、データ線１５１に沿う方向をＹ方向と称することもできる。
【００３２】
画像信号Ｓ１、Ｓ２、…、Ｓｎは、ＴＦＴ１５０を一定期間だけオン状態とすることにより、データ線１５１を介して画素電極１６０に所定のタイミングで書き込まれる。このようにして画素電極１６０を介して液晶層１３０に書き込まれた所定レベルの画像信号は、対向基板１２０に設けられた共通電極との間に形成される液晶容量で一定期間保持される。
【００３３】
保持された画像信号Ｓ１、Ｓ２、…、Ｓｎがリークすることを防止するため、液晶容量と並列に配置された容量として、蓄積容量１７０が設けられている。蓄積容量１７０は、画素電極１６０と容量線１７１との間に形成された容量である。つまり、容量線１７１は、蓄積容量１７０と接続されている。容量線１７１は、画素１０２の列ごとに、データ線１５１に沿って、Ｙ方向に延在して設けられている。
【００３４】
以上のようにして、各画素１０２の液晶に電圧信号が印加され、印加された電圧レベルに応じて液晶の配向状態が変化することで、液晶層１３０に入射した光が変調されて、階調表示が可能となる。
【００３５】
図３は、液晶パネル１００の容量線１７１の電気的な接続関係を例示する概略図である。各容量線１７１が、Ｙ方向に延在して設けられている。複数の容量線１７１が、Ｘ方向に沿って配列されている。各容量線１７１のＹ方向の両端部のうち、端子１４１等側の一端部は、Ｘ方向に延在する配線１８０を介して、相互に接続されている。また、各容量線１７１のＹ方向の両端部のうち、端子１４１等側と反対側の他端部は、Ｘ方向に延在する配線１８１を介して、相互に接続されている。配線１８０のＸ方向の一端部と、配線１８１のＸ方向の一端部とが、Ｙ方向に延在する配線１８２を介して、相互に接続されている。配線１８０のＸ方向の他端部と、配線１８１のＸ方向の他端部とが、Ｙ方向に延在する配線１８３を介して、相互に接続されている。
【００３６】
端子１４１は、配線１８０の一端部に配置された接続位置１９１で配線１８０と接続されることにより、各容量線１７１と接続されている。端子１４３は、配線１８０の他端部に配置された接続位置１９３で配線１８０と接続されることにより、各容量線１７１と接続されている。端子１４２は、配線１８０の、端子１４１の接続位置１９１と端子１４３の接続位置１９３との間に配置された接続位置１９２で、例えば配線１８０の中央部に配置された接続位置１９２で、配線１８０と接続されることにより、各容量線１７１と接続されている。
【００３７】
詳細は図４を参照して後述するように、各容量線１７１には、ＣＯＦ基板２００の端子２４１、端子２４２および端子２４３から、端子１４１、端子１４２および端子１４３を介して、所定電位（電源電位）が供給される。容量線１７１に供給される所定電位は、必要に応じて適宜設定されてよく、例えば固定電位であってもよく、また例えば交流電位であってもよい。
【００３８】
容量線１７１は、データ線１５１に沿って設けられている。このため、容量線１７１の電位は、画像信号の書き込みに伴うデータ線１５１の電位の変動に起因して、変動しやすい。容量線１７１に、所定電位を供給することで、容量線１７１の電位の変動を抑制することができる。
【００３９】
本実施形態による液晶パネル１００は、Ｘ方向（第１方向）に沿って配列された端子１４１と端子１４３との間に、つまり、端子１４１および端子１４３に対してＸ方向の中央側の位置に、端子１４２が設けられていることで、端子１４２が設けられていない場合と比べて、Ｘ方向の中央側の位置に配置された容量線１７１に、所定電位を供給しやすくなり、当該容量線１７１の電位の制御性を向上させることができる。換言すると、Ｘ方向に沿って配列された容量線１７１同士の電位のばらつきを小さくすることができる。
【００４０】
次に、液晶表示装置１０について説明する。図４は、液晶表示装置１０の構成を示す概略平面図である。液晶表示装置１０は、上述の液晶パネル１００と、ＣＯＦ基板２００（第１フレキシブル基板）とを備える。
【００４１】
ＣＯＦ基板２００は、柔軟性を有する基材２１０と、液晶パネル１００を駆動する集積回路である駆動回路（第１駆動回路）２２０と、配線２３１（第１配線）、配線２３２および配線２３３（第２配線）と、パネル接続端子２４１（第４端子）、パネル接続端子２４２（第５端子）およびパネル接続端子２４３（第６端子）と、ジャンプ配線用端子２５０（第７端子）およびジャンプ配線用端子２５１と、配線（ジャンプ配線）２５２と、電源端子２６１および電源端子２６３と、を備える。「パネル接続端子」、「ジャンプ配線用端子」および「電源端子」をそれぞれ、単に「端子」と称することがある。
【００４２】
ＣＯＦ基板２００を、ＣＯＦ基板２００の表面に垂直な方向（基材２１０に垂直な方向）から見ることを、平面視と称する。基材２１０の柔軟性により、ＣＯＦ基板２００は曲げられた状態となり得るが、煩雑さを避けるため、平面視は、ＣＯＦ基板２００を（基材２１０を）平らにした状態で規定する。
【００４３】
基材２１０としては、例えばポリイミドフィルム等の樹脂フィルムが用いられる。駆動回路２２０は、ＴＡＢ（Tape Automated Bonding）技術を用いて基材２１０上に設けられており、駆動信号を生成して、液晶パネル１００に供給する。配線２３１、配線２３２および配線２３３は、基材２１０上に設けられた銅箔や銅めっき層等の導電膜がパターニングされることで形成されており、ソルダーレジスト等の絶縁性の保護膜により覆われている。
【００４４】
ＣＯＦ基板２００には、駆動回路２２０と接続された信号配線、および、当該信号配線と接続された信号端子も形成されている。当該信号端子が、液晶パネル１００の、データ線駆動回路１０５を介してデータ線１５１に接続された端子１４０と、または、走査線駆動回路１０６を介して走査線１５２に接続された端子１４０と、接続されることで、駆動回路２２０からの駆動信号が、液晶パネル１００に供給される。
【００４５】
端子２４１、端子２４２および端子２４３は、Ｘ方向に沿って配列されており、Ｙ方向の位置が、駆動回路２２０に対し液晶パネル１００側に配置されている。ＣＯＦ基板２００の端子２４１、端子２４２および端子２４３は、それぞれ、液晶パネル１００の端子１４１、端子１４２および端子１４３と接続されている。これらの端子の電気的な接続関係を、両矢印で示している。端子２４１と端子１４１、端子２４２と端子１４２、および、端子２４３と端子１４３は、それぞれ、平面視で重なって配置されている。ただし、図４は、図示を容易にするため、端子２４１、端子２４２および端子２４３と、端子１４１、端子１４２および端子１４３とを、平面視でずらして表示している。
【００４６】
配線２３１は、Ｘ方向の位置について駆動回路２２０の外側を通って、Ｙ方向に延在している。配線２３１は、液晶パネル１００側の端部で、端子２４１と接続されており、液晶パネル１００と反対側の端部で、端子２６１と接続されている。端子２６１は、Ｙ方向の位置が、駆動回路２２０に対し液晶パネル１００と反対側に配置されている。外部に配置された電源から、端子２６１に電源電位が供給され、配線２３１および端子２４１を介して、端子１４１に電源電位が供給される。
【００４７】
配線２３３は、Ｘ方向の位置について駆動回路２２０を挟み配線２３１と反対側で、駆動回路２２０の外側を通って、Ｙ方向に延在している。配線２３３は、液晶パネル１００側の端部で、端子２４３と接続されており、液晶パネル１００と反対側の端部で、端子２６３と接続されている。端子２６３は、Ｙ方向の位置が、駆動回路２２０に対し液晶パネル１００と反対側に配置されている。上記電源から、端子２６３に電源電位が供給され、配線２３３および端子２４３を介して、端子１４３に電源電位が供給される。
【００４８】
配線２３２は、Ｙ方向の位置が、端子２４２と駆動回路２２０との間に（駆動回路２２０に対し液晶パネル１００側に）配置され、Ｘ方向の位置が、駆動回路２２０と重なる範囲に配置されて、Ｙ方向に延在している。配線２３２は、液晶パネル１００側の端部で、端子２４２と接続されており、液晶パネル１００と反対側の端部で、端子２５０と接続されている。
【００４９】
端子２５０は、Ｙ方向の位置が、端子２４２と駆動回路２２０との間に（駆動回路２２０に対し液晶パネル１００側に）配置され、Ｘ方向の位置が、駆動回路２２０と重なる範囲に配置されて、配線２３２を介して端子２４２と接続されている。
【００５０】
端子２５１は、端子２４３と端子２６３との間の配線２３３上に、つまり、Ｙ方向の位置が端子２４３に対し駆動回路２２０側に配置されて配線２３３上に、設けられている。端子２５０と端子２５１とを、配線２５２が接続している。配線２５２は、配線２３３から分岐した配線となっている。上記電源から、配線２３３および配線２５２を介して端子２５０に電源電位が供給され、さらに、配線２３２および端子２４２を介して、端子１４２に電源電位が供給される。配線２５２としては、ジャンプ配線（端子２５０、２５１に対し基材２１０の厚さ方向外側に配置された（立体配置された）配線）を用いるとよい。配線２５２を、ＣＯＦ基板２００内の配線層で構成することも可能ではあるが、その場合は、配線同士の交差が生じるため、ＣＯＦ基板２００内の配線層を多層にする必要がある。配線２５２をジャンプ配線で構成することで、ＣＯＦ基板２００の配線層を多層にする必要がない。
【００５１】
端子２４１および端子２４３は、Ｘ方向の位置が、駆動回路２２０の外側に配置されている。このため、端子２４１および端子２４３には、駆動回路２２０の外側を通る配線２３１および配線２３３を、それぞれそのまま接続することで、電源電位を供給することができる。
【００５２】
一方、端子２４２は、Ｘ方向の位置が、駆動回路２２０と重なる範囲に配置されている。したがって、Ｘ方向の位置が端子２４２と対応し（駆動回路２２０と重なり）、Ｙ方向の位置が駆動回路２２０に対し液晶パネル１００と反対側に配置された電源端子を用いて、当該電源端子に接続された電源配線を端子２４２に接続しようとする場合、駆動回路２２０が妨げとなりやすい。
【００５３】
このため、本実施形態では、駆動回路２２０の外側を通過する配線２３３を、配線（ジャンプ配線）２５２を用いて分岐させ、配線２５２を介して端子２４２と接続することで、端子２４２に電源電位を供給している。このように、本実施形態によれば、Ｘ方向の位置が駆動回路２２０と重なる範囲に配置された端子２４２に、電源電位を供給することができ、端子２４２を、電源端子として用いることができる。なお、同様にして、配線２３１を分岐させて端子２４２と接続する構成を採用してもよい。
【００５４】
ところで、後述の第２実施形態（図９参照）のようにＣＯＦ基板２００（２００ａ）が平面視で曲がった形状である場合、電源配線と端子２４２との接続に駆動回路２２０（２２０ａ）が妨げとなるかどうかは、端子２４２のＸ方向の位置が単純に駆動回路２２０（２２０ａ）と重なっているかどうかによっては、判断しにくい。例えば、図９に示す例では、端子２４１（２４１ａ）のＸ方向の位置が駆動回路２２０（２２０ａ）と重なっているのに対し、端子２４２のＸ方向の位置は駆動回路２２０（２２０ａ）の外側に配置され、駆動回路２２０（２２０ａ）と重なっていない。
【００５５】
ここで、第１実施形態おいて端子２４２が駆動回路２２０と重なる範囲に配置されている状況、つまり、電源配線と端子２４２との接続が駆動回路２２０によって妨げられやすい状況を、より一般的に規定する。
【００５６】
端子２４１に接続された配線２３１と、駆動回路２２０との距離を、距離Ｗ１（第１距離）とする。端子２４３に接続された配線２３３と、駆動回路２２０との距離を、距離Ｗ３（第２距離）とする。
【００５７】
なお、配線２３１と駆動回路２２０との距離は、平面視における配線２３１と駆動回路２２０との最小の間隙の長さで規定することができ、配線２３３と駆動回路２２０との距離は、平面視における配線２３３と駆動回路２２０との最小の間隙の長さで規定することができる。
【００５８】
端子２４１からＸ方向（端子２４１、端子２４２および端子２４３が並んだ方向）に端子２４３側へ距離Ｗ１以上離れるとともに、端子２４３からＸ方向に端子２４１側へ距離Ｗ３以上離れた範囲を範囲Ｗ２とする。範囲Ｗ２は、駆動回路２２０が配置されたＹ方向の位置において駆動回路２２０と重なるＸ方向の範囲を、ＣＯＦ基板２００の延在方向に沿って、端子２４２等が配置されたＹ方向の位置までずらした範囲と捉えることができる。つまり、端子２４２は、範囲Ｗ２内に設けられて、端子２４１と端子２４３との間に配置されていることで、電源配線と端子２４２との接続が駆動回路２２０によって妨げられやすい端子であると捉えることができる。
【００５９】
なお、端子２４１からＸ方向に端子２４３側へ距離Ｗ１以上離れていることを判定する際の、端子２４１の起点は、平面視で端子２４１の縁がＸ方向の最も端子２４３側に配置された位置で規定することができる。また、端子２４３からＸ方向に端子２４１側へ距離Ｗ３以上離れていることを判定する際の、端子２４３の起点は、平面視で端子２４３の縁がＸ方向の最も端子２４１側に配置された位置で規定することができる。ただし、図４（および図９）は、図示を容易にするため、端子２４１と端子２４３の起点を、端子２４１の中央部と端子２４３の中央部としている。
【００６０】
以上説明したように、本実施形態によるＣＯＦ基板２００は、液晶パネル１００の端子１４１と接続された端子２４１、および、液晶パネル１００の端子１４３と接続された端子２４３に加えて、端子２４１と端子２４３との間に、液晶パネル１００の端子１４２と接続された端子２４２を備える。これにより、容量線１７１に、端子２４１、端子２４２および端子２４３から、所定電位（電源電位）を供給することができる。
【００６１】
Ｘ方向（第１方向）に沿って配列された端子２４１と端子２４３との間に、つまり、端子２４１および端子２４３に対してＸ方向の中央側の位置に、端子２４２が設けられていることで、端子２４２が設けられていない場合と比べて、Ｘ方向の中央側の位置に配置された容量線１７１に、所定電位を供給しやすくなり、当該容量線１７１の電位の制御性を向上させることができる。
【００６２】
ＣＯＦ基板２００は、また、配線２３２を介して端子２４２と接続された端子２５０を備える。端子２５０は、Ｙ方向（第１方向と交差する第２方向）の位置が端子２４２と駆動回路２２０との間に配置され、駆動回路２２０から液晶パネル１００側に配置されている。これにより、端子２５０を介して端子２４２に所定電位を供給できる。また、端子２５０と駆動回路２２０との干渉が抑制される。
【００６３】
ＣＯＦ基板２００は、また、配線２３３上に設けられた端子２５１と、端子２５０と端子２５１とを接続する配線２５２と、を備える。これにより、配線２３３から端子２４２に所定電位を供給できる。配線２５２をジャンプ配線で構成することで、ＣＯＦ基板２００の配線層を多層にする必要がない。なお、後述の第２実施形態における配線２７０と同様に、基材２１０上で配線２３３から分岐させた配線を曲げて、端子２５０に接続するジャンプ配線（端子２５０に対し基材２１０の厚さ方向外側に配置された（立体配置された）配線）として用いてもよい。このような態様においては、配線２３３上に端子２５１が配置されていなくともよい。
【００６４】
本発明は、上述した実施形態に限定されるものではなく、例えば以下に述べるような他の実施形態への適用や、各種の変形が可能である。また、以下に述べる他の実施形態や変形の態様は、任意に選択された一または複数を、適宜に組み合わせることもできる。
【００６５】
例えば、液晶パネル１００の端子１４２と接続される、ＣＯＦ基板２００の端子２４２に、所定電位（電源電位）を供給する態様は、上述の第１実施形態で説明した態様に限定されず、必要に応じて、以下に説明するような各種の態様としてもよい。
【００６６】
まず、上述の第１実施形態の第１変形例、第２変形例および第３変形例について説明する。これらの変形例では、上述の第１実施形態と、ＣＯＦ基板２００の構成が異なる。
【００６７】
＜第１実施形態の第１変形例＞
図５は、第１実施形態の第１変形例による液晶表示装置１０の構成を示す概略平面図である。第１変形例によるＣＯＦ基板２００では、端子２４２が、配線２５３を介して、駆動回路２２０の電源端子（電源出力端子）２２１と接続されている。また、駆動回路２２０の電源端子（電源入力端子）２２２が、配線２５４を介して、ＣＯＦ基板２００の電源端子２６２と接続されている。本変形例によれば、駆動回路２２０の電源端子２２１を用い、駆動回路２２０を介して、端子２４２に所定電位を供給できる。
【００６８】
＜第１実施形態の第２変形例＞
図６は、第１実施形態の第２変形例による液晶表示装置１０の構成を示す概略平面図である。第２変形例によるＣＯＦ基板２００では、端子２４２が、配線２５５を介して、ＣＯＦ基板２００の電源端子２６２と接続されている。配線２５５は、駆動回路２２０の下方を通過している。つまり、第２変形例では、端子２４２に、駆動回路２２０と基材２１０との間を通過する配線２５５が接続されている。本変形例によれば、駆動回路２２０と基材２１０との間を通過させることにより、平面視で駆動回路２２０と重なる配線２５５であっても、端子２４２と接続させることができる。
【００６９】
＜第１実施形態の第３変形例＞
図７は、第１実施形態の第３変形例による液晶表示装置１０の構成を示す概略平面図である。第３変形例は、電子機器３０内における、液晶表示装置１０の接続態様を示す。電子機器３０は、液晶表示装置１０と、プリント基板２０とを備える。
【００７０】
プリント基板２０は、電源端子である端子２１、端子２２および端子２３を備える。ＣＯＦ基板２００の端子２４１および端子２４３は、それぞれ、配線２３１および配線２３３を介して、プリント基板２０の端子２１および端子２２と接続されている。また、ＣＯＦ基板２００の端子２５０は、配線２５６を介して、プリント基板２０の端子２３と接続されている。配線２５６としては、ジャンプ配線を用いるとよい。ＣＯＦ基板２００の端子２４２は、端子２５０を介して、プリント基板２０の電源端子２３と接続されている。本変形例によれば、プリント基板２０の電源端子２３を用いて、端子２４２に所定電位を供給できる。
【００７１】
＜第２実施形態＞
次に、第２実施形態による液晶表示装置１０について説明する。液晶パネル１００の駆動の複雑化、高速化に対応させるために、複数の駆動回路２２０を、つまり、複数のＣＯＦ基板２００を用いたい場合がある。第２実施形態では、液晶表示装置１０が複数の、例えば２つのＣＯＦ基板２００を備える態様について例示する。なお、以下の説明では、各ＣＯＦ基板２００で共通の構造や部材に対しては共通の参照番号を付し、ＣＯＦ基板２００同士の相違は、参照番号に「ａ」または「ｂ」を付加して示す。
【００７２】
図８は、第２実施形態による液晶表示装置１０が備えるＣＯＦ基板２００ａおよびＣＯＦ基板２００ｂの構成を示す概略平面図である。図９は、第２実施形態による液晶表示装置１０の構成を示す概略平面図である。
【００７３】
ＣＯＦ基板２００ａ（第１フレキシブル基板）は、第１実施形態におけるＣＯＦ基板２００に対応し、ＣＯＦ２００ｂ（第２フレキシブル基板）は、追加されたＣＯＦ基板２００である。ＣＯＦ基板２００ａは、第１実施形態のＣＯＦ基板２００と比べて、平面視で曲がった形状を有する点で相違する。また、ＣＯＦ基板２００ａにおいては、配線２３３ａが、分岐しておらず、端子２５０と接続されていない。
【００７４】
ＣＯＦ基板２００ｂは、液晶パネル１００を駆動する集積回路である駆動回路２２０ｂ（第２駆動回路）を備える。ＣＯＦ基板２００ｂは、液晶パネル１００に接続される端子２４１ｂ等の配置領域近傍が、ＣＯＦ基板２００ａと重ねられた状態で、液晶パネル１００と接続される。ＣＯＦ基板２００ｂは、ＣＯＦ基板２００ａと重ねられた状態で、駆動回路２２０ｂが、ＣＯＦ基板２００ａの駆動回路２２０ａ（第１駆動回路）と重ならないように、平面視で曲がった形状を有する。駆動回路２２０ａと駆動回路２２０ｂとが平面視で重ならないことにより、駆動回路２２０ａおよび駆動回路２２０ｂで発生した熱を効率的に放熱することができる。
【００７５】
ＣＯＦ基板２００ｂは、ＣＯＦ基板２００ａの端子２４１ａおよび端子２４３ａとそれぞれ対応する端子２４１ｂ（第８端子）および端子２４３ｂ（第９端子）を備える。端子２４１ｂおよび端子２４３ｂは、Ｘ方向に沿って配列されている。ＣＯＦ基板２００ｂは、また、ＣＯＦ基板２００ａの配線２３１ａおよび配線２３３ａとそれぞれ対応する配線２３１ｂ（第３配線）および配線２３３ｂ（第４配線）を備える。配線２３１ｂは、Ｘ方向の位置について駆動回路２２０ｂの外側を通って、端子２４１ｂと接続されており、端子２４１ｂとは反対側で、電源端子２６１ｂと接続されている。配線２３３ｂは、Ｘ方向の位置について駆動回路２２０ｂを挟み配線２３１ｂと反対側で、駆動回路２２０ｂの外側を通って、端子２４３ｂと接続されており、端子２４３ｂとは反対側で、電源端子２６３ｂと接続されている。
【００７６】
ＣＯＦ基板２００ｂは、ＣＯＦ基板２００ａの端子２４２と対応する端子は、備えていない。また、ＣＯＦ基板２００ａの配線２３２と対応する配線、および、端子２５０と対応する端子は、備えていない。
【００７７】
ＣＯＦ基板２００ｂは、基材２１０ｂ上で配線２３３ｂから分岐した配線（ジャンプ配線）２７０を備える。また、配線２７０の先端部に、端子２７１を備える。配線２３３ｂが分岐した形状に対応して、ＣＯＦ基板２００ｂの基材２１０ｂは、分岐した形状を有する。
【００７８】
液晶表示装置１０において、ＣＯＦ基板２００ｂの配線２７０は、ＣＯＦ基板２００ａ側に曲げられ、端子２７１を介して、ＣＯＦ基板２００ａの端子２５０と接続されている。つまり、ＣＯＦ基板２００ｂの配線２３３ｂは、ジャンプ配線である配線２７０を介して、ＣＯＦ基板２００ａの端子２４２と接続されている。第２実施形態によれば、配線２３３ｂから分岐した配線２７０を用いて、端子２４２に所定電位を供給できる。
【００７９】
＜第２実施形態の変形例＞
次に、第２実施形態の変形例について説明する。本変形例は、ＣＯＦ基板２００ｂの配線２３３ｂと、ＣＯＦ基板２００ａの端子２５０との接続態様が、上述の第２実施形態と異なる。
【００８０】
図１０は、第２実施形態の変形例による液晶表示装置１０が備えるＣＯＦ基板２００ａおよびＣＯＦ基板２００ｂの構成を示す概略平面図である。図１１は、第２実施形態の変形例による液晶表示装置１０の構成を示す概略平面図である。
【００８１】
本変形例では、ＣＯＦ基板２００ｂが、端子２７３（第１０端子）を備える。端子２７３は、端子２４３ｂと端子２６３ｂとの間の配線２３３ｂ上に、つまり、Ｙ方向の位置が端子２４３ｂに対し駆動回路２２０ｂ側に配置されて配線２３３ｂ上に、設けられている。
【００８２】
ＣＯＦ基板２００ａの端子２５０と、ＣＯＦ基板２００ｂの端子２７３とは、配線（ジャンプ配線）２７２を介して接続されている。配線２７２は、例えば、上述の第２実施形態において配線２３３ｂから分岐した配線２７０が形成されていた領域と同様な領域２７４の基材２１０ｂ上に、配線２３３ｂとは分離して、パターニングにより形成しておくことができる。そして、この領域２７４を曲げることで、配線２７２により端子２５０と端子２７３とが接続される。なお、領域２７４を曲げて端子２５０と端子２７３とを接続した後、必要に応じ、領域２７４の根元を切断して、領域２７４を基材２１０ｂから分離してもよい。このように、本変形例によれば、配線２３３ｂ上に設けられた端子２７３を用いて、端子２４２に所定電位を供給できる。
【００８３】
以上説明したように、上述の実施形態および変形例によれば、液晶パネル１００の容量線１７１に所定電位を供給することで、容量線１７１の電位の制御性を向上させることができる。なお、当該所定電位は、液晶パネル１００の対向基板１２０が備える共通電極に供給してもよい。
【００８４】
＜応用例＞
次に、上述の実施形態および変形例の応用例として、投射型表示装置（プロジェクター）について説明する。図１２は、応用例によるプロジェクター４００の光学系を例示する模式図である。プロジェクター４００は、光源装置４０１と、インテグレーター４０４と、偏光変換素子４０５と、色分離導光光学系４０２と、光変調装置としての液晶光変調装置４１０Ｒ、液晶光変調装置４１０Ｇ、 液晶光変調装置４１０Ｂと、クロスダイクロイックプリズム４１２および投写光学系４１４と、を具備して構成されている。液晶光変調装置４１０Ｒ、４１０Ｇおよび４１０Ｂには、後述するように、液晶表示装置４２０Ｒ、４２０Ｇおよび４２０Ｂが設けられている。これらの液晶表示装置４２０Ｒ、４２０Ｇおよび４２０Ｂとして、例えば上述の液晶表示装置１０を用いることができる。
【００８５】
光源装置４０１は、第１色光である赤色光（以下「Ｒ光」という）、第２色光である緑色光（以下「Ｇ光」という）、および第３色光である青色光（以下「Ｂ光」という）を含む光を供給する。光源装置４０１としては、例えば超高圧水銀ランプを用いることができる。
【００８６】
インテグレーター４０４は、光源装置４０１から出射された光の照度分布を均一化する。照度分布を均一化された光は、偏光変換素子４０５にて特定の振動方向を有する偏光光、例えば色分離導光光学系４０２の反射面に対してｓ偏光したｓ偏光光に変換される。ｓ偏光光に変換された光は、色分離導光光学系４０２を構成するＲ光透過ダイクロイックミラー４０６Ｒに入射する。
【００８７】
色分離導光光学系４０２は、Ｒ光透過ダイクロイックミラー４０６Ｒと、Ｂ光透過ダイクロイックミラー４０６Ｇと、３枚の反射ミラー４０７と、２枚のリレーレンズ４０８と、を具備して構成されている。
【００８８】
Ｒ光透過ダイクロイックミラー４０６Ｒは、Ｒ光を透過し、Ｇ光、Ｂ光を反射する。Ｒ光透過ダイクロイックミラー４０６Ｒを透過したＲ光は、反射ミラー４０７に入射する。
【００８９】
反射ミラー４０７は、Ｒ光の光路を９０度折り曲げる。光路を折り曲げられたＲ光は、Ｒ光用液晶光変調装置４１０Ｒに入射する。Ｒ光用液晶光変調装置４１０Ｒは、Ｒ光を画像信号に応じて変調する透過型の液晶装置である。
【００９０】
Ｒ光用液晶光変調装置４１０Ｒは、λ／２位相差板４２３Ｒ、ガラス板４２４Ｒ、第１偏光板４２１Ｒ、液晶表示装置４２０Ｒ、および第２偏光板４２２Ｒを有する。λ／２位相差板４２３Ｒおよび第１偏光板４２１Ｒは、偏光方向を変換させない透光性のガラス板４２４Ｒに接する状態で配置される。なお、図１２において、第２偏光板４２２Ｒは独立して設けられているが、液晶表示装置４２０Ｒの射出面や、クロスダイクロイックプリズム４１２の入射表面に接する状態で配置しても良い。
【００９１】
Ｒ光透過ダイクロイックミラー４０６Ｒで反射された、Ｇ光とＢ光とは光路を９０度折り曲げられる。光路を折り曲げられたＧ光とＢ光とは、Ｂ光透過ダイクロイックミラー４０６Ｇに入射する。Ｂ光透過ダイクロイックミラー４０６Ｇは、Ｇ光を反射し、Ｂ光を透過する。Ｂ光透過ダイクロイックミラー４０６Ｇで反射されたＧ光は、Ｇ光用液晶光変調装置４１０Ｇに入射する。Ｇ光用液晶光変調装置４１０ＧはＧ光を画像信号に応じて変調する透過型の液晶装置である。Ｇ光用液晶光変調装置４１０Ｇは、液晶表示装置４２０Ｇ、第１偏光板４２１Ｇおよび第２偏光板４２２Ｇを有する。
【００９２】
Ｇ光用液晶光変調装置４１０Ｇに入射するＧ光は、ｓ偏光光に変換されている。Ｇ光用液晶光変調装置４１０Ｇに入射したｓ偏光光は、第１偏光板４２１Ｇをそのまま透過し、液晶表示装置４２０Ｇに入射する。液晶表示装置４２０Ｇに入射したｓ偏光光は、画像信号に応じた変調により、Ｇ光がｐ偏光光に変換される。液晶表示装置４２０Ｇの変調により、ｐ偏光光に変換されたＧ光が、第２偏光板４２２Ｇから射出される。このようにして、Ｇ光用液晶光変調装置４１０Ｇで変調されたＧ光は、クロスダイクロイックプリズム４１２に入射する。
【００９３】
Ｂ光透過ダイクロイックミラー４０６Ｇを透過したＢ光は、２枚のリレーレンズ４０８と、２枚の反射ミラー４０７とを経由して、Ｂ光用液晶光変調装置４１０Ｂに入射する。
【００９４】
Ｂ光用液晶光変調装置４１０Ｂは、Ｂ光を画像信号に応じて変調する透過型の液晶装置である。Ｂ光用液晶光変調装置４１０Ｂは、λ／２位相差板４２３Ｂ、ガラス板４２４Ｂ、第１偏光板４２１Ｂ、液晶表示装置４２０Ｂ、および第２偏光板４２２Ｂを有する。
【００９５】
Ｂ光用液晶光変調装置４１０Ｂに入射するＢ光は、ｓ偏光光に変換されている。Ｂ光用液晶光変調装置４１０Ｂに入射したｓ偏光光は、λ／２位相差板４２３Ｂによりｐ偏光光に変換される。ｐ偏光光に変換されたＢ光は、ガラス板４２４Ｂおよび第１偏光板４２１Ｂをそのまま透過し、液晶表示装置４２０Ｂに入射する。液晶表示装置４２０Ｂに入射したｐ偏光光は、画像信号に応じた変調により、Ｂ光がｓ偏光光に変換される。液晶表示装置４２０Ｂの変調により、ｓ偏光光に変換されたＢ光が、第２偏光板４２２Ｂから射出される。Ｂ光用液晶光変調装置４１０Ｂで変調されたＢ光は、クロスダイクロイックプリズム４１２に入射する。
【００９６】
このように、色分離導光光学系４０２を構成するＲ光透過ダイクロイックミラー４０６ＲとＢ光透過ダイクロイックミラー４０６Ｇとは、光源装置４０１から供給される光を、第１色光であるＲ光と、第２色光であるＧ光と、第３色光であるＢ光とに分離する。
【００９７】
色合成光学系であるクロスダイクロイックプリズム４１２は、２つのダイクロイック膜４１２ａ、４１２ｂをＸ字型に直交して配置して構成されている。ダイクロイック膜４１２ａは、Ｂ光を反射し、Ｇ光を透過する。ダイクロイック膜４１２ｂは、Ｒ光を反射し、Ｇ光を透過する。このように、クロスダイクロイックプリズム４１２は、Ｒ光用液晶光変調装置４１０Ｒ、Ｇ光用液晶光変調装置４１０Ｇ、およびＢ光用液晶光変調装置４１０Ｂでそれぞれ変調されたＲ光、Ｇ光およびＢ光を合成する。
【００９８】
投写光学系４１４は、クロスダイクロイックプリズム４１２で合成された光をスクリーン４１６に投射する。これにより、スクリーン４１６上でフルカラー画像を得ることができる。このように、上述の液晶表示装置１０は、一例としてプロジェクター４００に用いることができる。
【００９９】
なお、上述の液晶表示装置１０は、投写画像を観察する側から投写するフロント投写型プロジェクターに用いることも、投写画像を観察する側とは反対の側から投写するリア投写型プロジェクターに用いることもできる。
【０１００】
なお、液晶表示装置１０を適用可能な電子機器は、プロジェクター４００に限定されない。液晶表示装置１０は、例えば、投射型のＨＵＤ（ヘッドアップディスプレイ）や直視型のＨＭＤ（ヘッドマウントディスプレイ）、または電子ブック、パーソナルコンピューター、デジタルスチルカメラ、液晶テレビ、ビューファインダー型あるいはモニター直視型のビデオレコーダー、カーナビゲーションシステム、電子手帳、ＰＯＳなどの情報端末機器の表示部として用いてもよい。
【０１０１】
なお、上記の説明では、容量線を備えた電気光学パネルとして、液晶パネル１００を例示したが、このような電気光学パネルは、その他例えば、電気泳動パネル等であってもよい。また、電気光学パネルおよびＣＯＦ基板（フレキシブル基板）を備えた電気光学装置として、液晶表示装置１０を例示したが、電気光学装置は、その他例えば、電気泳動表示装置等であってもよい。
【符号の説明】
【０１０２】
１０…液晶表示装置（電気光学装置）、１００…液晶パネル（電気光学パネル）、１０１…表示領域、１０２…画素、１０５…データ線駆動回路、１０６…走査線駆動回路、１１０…素子基板、１１５…シール材、１２０…対向基板、１３０…液晶層、１４０…外部回路実装端子、１４１…端子、１４２…端子、１４３…端子、１５０…ＴＦＴ、１５１…データ線、１５２…走査線、１６０…画素電極、１７０…蓄積容量、１７１…容量線、１８０…配線、１８１…配線、１８２…配線、１８３…配線、１９１…接続位置、１９２…接続位置、１９３…接続位置、２００…ＣＯＦ基板（フレキシブル基板）、２１０…基材、２２０…駆動回路、２２１…電源端子、２２２…電源端子、２３１…配線、２３２…配線、２３３…配線、２４１…端子、２４２…端子、２４３…端子、２５０…端子、２５１…端子、２５２…配線（ジャンプ配線）、２５３…配線、２５４…配線、２５５…配線、２５６…配線（ジャンプ配線）、２６１…電源端子、２６２…電源端子、２６３…電源端子、２７０…配線（ジャンプ配線）、２７１…端子、２７２…配線（ジャンプ配線）、２７３…端子、３００…プリント基板、３０１…電源端子、３０２…電源端子、３０３…電源端子、４００…プロジェクター、４０１…光源装置、４０２…色分離導光光学系、４０４…インテグレーター、４０５…偏光変換素子、４１０Ｒ…液晶光変調装置、４１０Ｇ…液晶光変調装置、４１０Ｂ…液晶光変調装置、４１２…クロスダイクロイックプリズム、４１４…投写光学系、４１６…スクリーン。
【図１】
2018200361.tif 000003
【図２】
2018200361.tif 000004
【図３】
2018200361.tif 000005
【図４】
2018200361.tif 000006
【図５】
2018200361.tif 000007
【図６】
2018200361.tif 000008
【図７】
2018200361.tif 000009
【図８】
2018200361.tif 000010
【図９】
2018200361.tif 000011
【図１０】
2018200361.tif 000012
【図１１】
2018200361.tif 000013
【図１２】
2018200361.tif 000014